(57)【要約】      （修正有）【課題】ダニの侵入を防いでダニが湧かず、その上洗濯もできる布団を提供する。【解決手段】所要数のセクションＳに仕切られてなる布団Ｆであって、布団生地１１は、高密度織物生地とされ、その布団生地１１が熱圧着により布団側１０とされてなるものである。具体的には、布団生地１１に所定配置にて熱圧着材を貼付し、その熱圧着材が熱圧着されて布団側１０とされ、また布団綿２０は、洗濯適応性の高い素材とされてなるものである。【選択図】図２
0003132516.tif 000002
【実用新案登録請求の範囲】
【請求項１】
所要数のセクションに仕切られてなる布団であって、
前記布団の布団生地は、高密度織物生地とされ、
前記布団生地が、熱圧着により布団側とされてなる
ことを特徴とする布団。
【請求項２】
布団生地に所定配置にて熱圧着材を貼付し、その熱圧着材が熱圧着されて布団側とされてなることを特徴とする請求項１記載の布団。
【請求項３】
布団綿は、洗濯適応性の高い素材であることを特徴とする請求項１記載の布団。
【請求項４】
熱圧着が、布団綿ブロックを各セクション対応位置に配置してなされることを特徴とする請求項２記載の布団。
【考案の詳細な説明】
【技術分野】
【０００１】
本考案は布団に関する。さらに詳しくは、ダニが発生したり侵入したりせず、その上洗濯もできる布団に関する。
【背景技術】
【０００２】
従来より、布団の布団側は、布団生地をミシンによる縫製加工により袋状とされている。
【０００３】
また、布団Ｆ‘にあっては、布団綿の布団側１００内での偏りを防止するため、図７に示すように、ミシン縫いによりセクションＳ’に分割することもなされている。図中、符号１０１は縫い目を示し、符号１１０は布団生地を示す。
【０００４】
しかるに、ミシンによる縫製やミシン縫いを微視的にみれば、図８に示すように、布団生地１１０に生地の目より大きな穴１１１を多数開けていることになる。そのため、その穴１１１からダニが侵入し、その侵入したダニが布団綿を棲家に繁殖する、つまりダニが湧くおそれがある。図中、符号ｎはミシン糸を示す。
【０００５】
このようなダニが湧くおそれのある布団Ｆ‘は、購入者、とりわけ清潔志向の強いユーザーやアレルギー体質のユーザーには商品として受け入れられなくなってきている。
【０００６】
そのため、ダニが侵入してダニが湧くおそれがなく、しかも洗濯も気軽にできて清潔感が保たれる布団の出現が熱望されている。
【０００７】
なお、羽毛布団に関しては特許文献１に提案がなされている。
【特許文献１】特許第２９１４９２５号公報
【考案の開示】
【考案が解決しようとする課題】
【０００８】
本考案はかかる従来技術の課題に鑑みなされたものであって、ダニの侵入を防いでダニが湧かず、その上洗濯もできる布団を提供することを目的としている。
【課題を解決するための手段】
【０００９】
本考案の布団は、所要数のセクションに仕切られてなる布団であって、前記布団の布団生地は、高密度織物生地とされ、前記布団生地が、熱圧着により布団側とされてなることを特徴とする。
【００１０】
本考案の布団においては、布団生地に所定配置にて熱圧着材を貼付し、その熱圧着材が熱圧着されて布団側とされてなるのが好ましい。
【００１１】
また、本考案の布団においては、布団綿は、洗濯適応性の高い素材であるのが好ましい。
【００１２】
さらに、本考案の布団においては、熱圧着が、布団綿ブロックを各セクション対応位置に配置してなされるのが好ましい。
【考案の効果】
【００１３】
本考案の布団においては、布団側にミシン縫いによる穴が存在しないので、布団側内にダニが侵入して布団綿を棲家とすることもなく、そのためダニが湧くおそれもないという優れた効果が得られる。
【考案を実施するための最良の形態】
【００１４】
以下、添付図面を参照しながら本考案を実施形態に基づいて説明するが、本考案はかかる実施形態のみに限定されるものではない。
【００１５】
本考案の一実施形態に係る布団を図１に示す。
【００１６】
布団Ｆは、図１に示すように、布団Ｆが所定数のセクションＳに仕切られてなるものとされる。また、この布団Ｆにおいては、ミシンによる縫製は一切なされていない。つまり、この布団側１０にはミシンによる穴は存在しない。
【００１７】
また、各セクションＳのサイズは、布団綿２０の偏りが生じにくいサイズ、具体的には、一つのマス目が例えば横が２５ｃｍで縦が３０ｃｍとされている。
【００１８】
これにより、従来のようにミシンによる穴からダニが侵入してダニが湧くおそれはない。また、布団Ｆが前記サイズのセクションＳに仕切られているので、家庭における洗濯によっても布団綿２０が一箇所に集まって団子状態となるおそれはない。
【００１９】
布団生地１１は、ダニの侵入を防止するため、高密度織物生地、例えばアルファイン（東洋紡（株）社製商品名）とされる。
【００２０】
また、布団生地１１から布団側１０への形成は、布団生地端部１１ａを熱圧着することによりなされる。図２に、熱圧着された布団生地端部１１ａを拡大して示す。図中、符号１２は熱圧着層を示す。
【００２１】
これにより、布団Ｆ内へのダニの侵入が確実に防止される。
【００２２】
布団綿２０は、家庭での洗濯が容易になし得るよう、洗濯適応性の高い素材とされ、例えばインビスタ社製コンフォレル（化繊）綿が好適とされる。
【００２３】
次に、図３〜図６を参照しながら、かかる構成とされた布団Ｆの製造について説明する。
【００２４】
手順１：布団生地１１の内側片側に両面テープとされた熱圧着材１３を所定配置にて貼付する。つまり、端部１１ａおよび仕切り対応位置に熱圧着材１３、例えば飽和強重合ポリエステル樹脂を貼付する（図３参照）。
【００２５】
手順２：布団生地１１の内側片側に布団綿ブロック２１を各セクションＳの対応位置に配置する（図４参照）。
【００２６】
手順３：布団生地１１の残り半分を折り曲げて布団綿ブロック２１を覆った後、端部１１ａおよび仕切り位置を仮留めして布団側１０とする（図５参照）。
【００２７】
手順４：仮留めされた布団側１０を熱圧着装置に搬送し、仮留めされた箇所を熱圧着する（図６参照）。
【００２８】
以上の手順により布団Ｆが完成する。
【００２９】
このように、本実施形態の布団Ｆにおいては、布団生地１１を熱圧着にて布団側１０にしているので、布団生地１１に穴を開けることがない。そのため、布団側１０内にダニが侵入して布団綿２０を棲家とすることもない。
【産業上の利用可能性】
【００３０】
本考案は、布団に適用できる。
【図面の簡単な説明】
【００３１】
【図１】本考案の一実施形態に係る布団の２面図であって、同（ａ）は平面図を示し、同（ｂ）は横方向断面図である。
【図２】同布団の要部拡大断面図である。
【図３】同布団の製造手順の説明図であって、布団生地に両面テープとされた熱圧着材を所定配置にて貼付した状態を示す。
【図４】同布団の製造手順の説明図であって、布団生地に布団綿ブロックを配置した状態を示す。
【図５】同布団の製造手順の説明図であって、両面テープとされた熱圧着材による布団生地を仮留めして布団側とした状態を示す。
【図６】同布団の製造手順の説明図であって、熱圧着材を熱圧着して布団を形成した状態を示す。
【図７】従来の布団の概略図である。
【図８】同布団のミシン穴を拡大した概略図である。
【符号の説明】
【００３２】
１０      布団側
１１      布団生地
１１ａ    端部
１２      熱圧着層
１３      熱圧着材
２０      布団綿
２１      布団綿ブロック
Ｆ      布団
Ｓ      セクション
【図１】
0003132516.tif 000003
【図２】
0003132516.tif 000004
【図３】
0003132516.tif 000005
【図４】
0003132516.tif 000006
【図５】
0003132516.tif 000007
【図６】
0003132516.tif 000008
【図７】
0003132516.tif 000009
【図８】
0003132516.tif 000010